(57)【要約】【課題】  子機との間で通話や映像の確認などを行うことができ、親機または副親機として屋内に設置されるインターホン装置において、拡張性を高め、低コスト化する。【解決手段】  親機Ｕ１または副親機Ｕ２〜Ｕ４として屋内設置されるインターホン装置において、該インターホン装置を構成する回路を、ユーザインタフェイスＩＦ１〜ＩＦ４と残余の回路Ｃ１〜Ｃ４とに分離し、インタフェイスＩＦ１〜ＩＦ４を部屋Ｍ１〜Ｍ４内に露出して設置し、回路Ｃ１〜Ｃ４を壁裏や天井裏などの邪魔にならない空間１４内に設置し、インタフェイスＩＦ１〜ＩＦ４と回路Ｃ１〜Ｃ４との間を、壁面１５に形成した小径の孔Ｈ１〜Ｈ４を挿通するケーブルＶ１〜Ｖ４で接続して、所期の機能を実現する。したがって、回路Ｃ１〜Ｃ４は、必要な機能を適宜追加・更新することができ、拡張性を高められる。インタフェイスＩＦ１〜ＩＦ４は、小型化および共用化で低コスト化できる。【選択図】      図１
2006041855.tif 000002
【特許請求の範囲】
【請求項１】
親機または副親機として屋内設置されるインターホン装置において、
該インターホン装置を構成する回路を、ユーザインタフェイスと残余の回路とに分離し、
前記ユーザインタフェイスを室内に露出して設置し、
前記残余の回路を壁裏、天井裏または床下に設置し、
前記ユーザインタフェイスと残余の回路との間を、壁面に形成した孔を挿通するケーブルで接続して成ることを特徴とするインターホン装置。
【請求項２】
前記ユーザインタフェイスは、マイクロホンおよびそれに関連する回路と、スピーカおよびそれに関連する回路と、表示装置およびそれに関連する回路と、入力操作回路と、前記残余の回路への通信インタフェイスと、該ユーザインタフェイス内の各部の動作を制御する制御回路と、該ユーザインタフェイス内の各部へ電源供給を行う電源回路とを備えて構成され、
前記残余の回路は、副親機の場合、音声通信回路と、映像通信回路と、音声処理回路と、映像処理回路と、ユーザインタフェイスへの通信インタフェイスと、他の親機または副親機への室内機接続インタフェイスと、プログラムおよびデータ記憶用のメモリと、該残余の回路内の各部の動作を制御する制御回路と、該残余の回路内の各部および前記ユーザインタフェイスへ電源供給を行う電源回路とを備えて構成され、親機の場合、上記構成にさらに子機接続インタフェイスと、機能拡張のための基板が接続可能な拡張インタフェイスとを備え、前記電源回路は子機へも給電を行うことを特徴とする請求項１記載のインターホン装置。
【発明の詳細な説明】
【技術分野】
【０００１】
本発明は、音声とともに画像を伝送するようにしたインターホン装置として好適に実施されるインターホン装置に関する。
【背景技術】
【０００２】
インターホン装置では、近年、屋外や玄関ホールなどに設置される子機にカメラを設け、室内に設置される親機に表示装置を設け、上記のように音声とともに画像を伝送することで、来訪者の音声に加えて容姿を確認できるようになっている。また、不審な物音などに気付いた居住者が、外部の様子を確認したりすることもできる。したがって、音声通話のみの構成に比べて、構成部品が多く、大型である。そのような大型のインターホン装置において、壁面埋込みタイプは、外観上すっきりしているけれども、設置工事には格段に手間がかかる。このため、施主や建築会社等の指定がないと、実際のインターホン装置の購入先である電気工事業者は、室内に露出するタイプを選択しているのが実情である。
【０００３】
一方、台所やリビングなどに設置されていたインターホン装置も、他の部屋からも上記来訪者への応対などを可能にするために、前記親機に加えて、副親機と称される室内設置の装置が増設可能となっている。前記副親機は、前記親機を中継して、子機との通話や映像の確認が可能になっている。そのような副親機を備えるインターホンシステムは、たとえば特許文献１に示されている。
【０００４】
図３は、前記特許文献１の図１の一部を抜き出して示すそのインターホンシステムの外観形状を示す図である。また、図４は、そのようなインターホンシステムの内部回路構成を示す図である。上述のように、屋外や玄関ホールなどに設置され、カメラ１、マイクロホン２およびスピーカ３を備える子機ｕ０は、壁裏や天井裏などを引き回されるたとえば２芯の信号線ｌ０を介して、部屋ｍ１内に設置される親機ｕ１に接続され、変調信号によって画像および音声が伝送されるようになっている。親機ｕ１は、表示装置４、マイクロホン５およびスピーカ６を備え、前記カメラ１による画像を確認しつつ、子機ｕ０との通話が可能となっている。この親機ｕ１から、前記壁裏や天井裏などを引き回されるたとえば２芯の信号線ｌ１，ｌ２，ｌ３を介して、他の部屋ｍ２，ｍ３，ｍ４内にそれぞれ設置される副親機ｕ２，ｕ３，ｕ４が縦続接続されており、これらの副親機ｕ２〜ｕ４でも、前記親機ｕ１を中継して、子機ｕ０との通話および画像の確認が可能となっている。
【特許文献１】特開２０００−１０１７３０号公報
【発明の開示】
【発明が解決しようとする課題】
【０００５】
上述のように構成されるインターホンシステムにおいて、図３からも理解されるように、親機ｕ１と副親機ｕ２〜ｕ４とは、筐体を始めとして、多くの部品が共用化されて、低コスト化が図られている。したがって、露出タイプで小型化が要求されるために、親機ｕ１には隙間なく部品が収納され、軽微なモデル変更で機能を拡張しようとしても、追加になる部品や基板の収納スペースを確保できない場合もある。また、放熱性や回路間の干渉なども考慮しなければならない。既に設置済の装置にも同様に、機能拡張のための部品を追加したり、或いは不具合対策部品などを追加したりするのが困難になることもある。さらにまた、そのように親機ｕ１と、構成部品の比較的少ない副親機ｕ２〜ｕ４との内部スペースの違いから、音響設計、構造設計、回路配置などの負担が大きく、上記のような部品の共用化によるコスト削減効果が充分ではないという問題もある。
【０００６】
本発明の目的は、拡張性に富み、低コスト化することができるインターホン装置を提供することである。
【課題を解決するための手段】
【０００７】
本発明のインターホン装置は、親機または副親機として屋内設置されるインターホン装置において、該インターホン装置を構成する回路を、ユーザインタフェイスと残余の回路とに分離し、前記ユーザインタフェイスを室内に露出して設置し、前記残余の回路を壁裏、天井裏または床下に設置し、前記ユーザインタフェイスと残余の回路との間を、壁面に形成した孔を挿通するケーブルで接続して成ることを特徴とする。
【０００８】
上記の構成によれば、屋外や玄関ホールなどに設置される子機との間で、通話や映像の確認などを行うことができ、親機または副親機として屋内設置されるインターホン装置において、該インターホン装置を構成する回路を、釦やスイッチ等の入力操作手段、マイクロホン、スピーカ、および表示装置ならびにそれらに伴う周辺回路などのユーザインタフェイス（ヒューマンインタフェイス）と、残余の回路とに分離する。そして、前記ユーザインタフェイスは室内に露出して設置し、前記残余の回路は、壁裏、天井裏または床下の邪魔にならない場所に設置し、それらの間を、壁面に形成した孔を挿通するケーブルで接続することで、前記親機または副親機としての機能を実現する。
【０００９】
したがって、前記壁裏、天井裏または床下に設置される残余の回路には、筐体内の空きスペース、放熱性、回路間の干渉などをむやみに気にすることなく、適切な筐体（目に付かない場所に設置されるので、意匠面や質感などを考慮する必要がなく、汎用の大き目の筐体）を用いて、必要な機能を適宜追加・更新することができ、拡張性に富んだインターホン装置を実現することができる。
【００１０】
一方、ユーザインタフェイスは、従来の総ての回路を一体にした室内露出タイプのインターホン装置と比べて、大幅に小型化することができる。また、ユーザインタフェイスには、前記入力操作手段、マイクロホン、スピーカ、および表示装置などの同じ部品が搭載されることになり、親機と副親機との区別がなくなり、それらを共用化することができるとともに、音響設計、構造設計、回路配置などの負担も小さくなり、低コスト化を図ることができる。
【００１１】
本発明のインターホン装置では、前記ユーザインタフェイスは、マイクロホンおよび送話回路などのそれに関連する回路と、スピーカおよび受話回路などのそれに関連する回路と、表示装置および駆動回路などのそれに関連する回路と、入力操作回路と、前記残余の回路への通信インタフェイスと、該ユーザインタフェイス内の各部の動作を制御する制御回路と、該ユーザインタフェイス内の各部へ電源供給を行う電源回路とを備えて構成され、前記残余の回路は、副親機の場合、音声通信回路と、映像通信回路と、音声処理回路と、映像処理回路と、ユーザインタフェイスへの通信インタフェイスと、他の親機または副親機への室内機接続インタフェイスと、プログラムおよびデータ記憶用のメモリと、該残余の回路内の各部の動作を制御する制御回路と、該残余の回路内の各部および前記ユーザインタフェイスへ電源供給を行う電源回路とを備えて構成され、親機の場合、上記構成にさらに子機接続インタフェイスと、機能拡張のための基板が接続可能な拡張インタフェイスとを備え、前記電源回路は子機へも給電を行うことを特徴とする。
【発明の効果】
【００１２】
本発明のインターホン装置は、以上のように、屋外や玄関ホールなどに設置される子機との間で、通話や映像の確認などを行うことができ、親機または副親機として屋内設置されるインターホン装置において、該インターホン装置を構成する回路を、釦やスイッチ等の入力操作手段、マイクロホン、スピーカ、および表示装置などのユーザインタフェイスと、残余の回路とに分離し、前記ユーザインタフェイスは室内に露出して設置し、前記残余の回路は、壁裏、天井裏または床下の邪魔にならない場所に設置し、それらの間を、壁面に形成した孔を挿通するケーブルで接続することで、前記親機または副親機としての機能を実現する。
【００１３】
それゆえ、前記壁裏、天井裏または床下に設置される残余の回路には、筐体内の空きスペース、放熱性、回路間の干渉などをむやみに気にすることなく、適切な筐体を用いて、必要な機能を適宜追加・更新することができ、拡張性に富んだインターホン装置を実現することができる。一方、ユーザインタフェイスは、従来の総ての回路を一体にした室内露出タイプのインターホン装置と比べて、大幅に小型化することができるとともに、低コスト化を図ることができる。
【発明を実施するための最良の形態】
【００１４】
［実施の形態１］
図１は、本発明の実施の一形態に係るインターホンシステムの概略構成を示す図である。本インターホンシステムでも、子機Ｕ０は、屋外や玄関ホールなどに設置され、呼出し釦１０、カメラ１１、マイクロホン１２およびスピーカ１３を備え、壁裏や天井裏などを引き回されるたとえば２芯の信号線Ｌ０を介して、部屋Ｍ１側に設置される親機Ｕ１に接続され、変調信号によって画像および音声が伝送されるようになっている。親機Ｕ１は、表示装置、マイクロホンおよびスピーカを備え、前記カメラ１１による画像を確認しつつ、子機Ｕ０との通話が可能となっている。この親機Ｕ１から、前記壁裏や天井裏などを引き回されるたとえば２芯の信号線Ｌ１，Ｌ２，Ｌ３を介して、他の部屋Ｍ２，Ｍ３，Ｍ４側にそれぞれ設置される副親機Ｕ２，Ｕ３，Ｕ４が縦続接続されており、これらの副親機Ｕ２〜Ｕ４でも、前記親機Ｕ１を中継して、子機Ｕ０との通話および画像の確認が可能となっている。
【００１５】
注目すべきは、本発明に係るインターホンシステムでは、インターホン装置であり、屋内に設置される前記親機Ｕ１および副親機Ｕ２〜Ｕ４を構成する回路を、ユーザインタフェイスＩＦ１〜ＩＦ４と、それ以外の残余の回路Ｃ１〜Ｃ４とにそれぞれ分離し、前記ユーザインタフェイスＩＦ１〜ＩＦ４を部屋Ｍ１〜Ｍ４内に露出して設置し、前記回路Ｃ１〜Ｃ４を、壁裏、天井裏または床下の邪魔にならない空間１４内で、好ましくは点検口周辺や押し入れの天井裏付近などのメンテナンスなどで作業者の手が届く場所に設置し、前記ユーザインタフェイスＩＦ１〜ＩＦ４と回路Ｃ１〜Ｃ４との間を、壁面１５に形成した小径の孔Ｈ１〜Ｈ４を挿通する、たとえば３芯のケーブルＶ１〜Ｖ４で接続して構成することである。
【００１６】
図２は、本発明に係る親機Ｕ１および副親機Ｕ２の具体的構成を示すブロック図である。図１に対応する部分には同一の参照符号を付して示す。残余の副親機Ｕ３，Ｕ４は、副親機Ｕ２と同様に構成され、図示および説明を省略する。親機Ｕ１の回路Ｃ１は、子機接続インタフェイス２１と、音声通信回路である音声復調変調回路２２と、映像通信回路である映像復調回路２３と、音声処理回路２４と、映像処理回路２５と、ユーザインタフェイスＩＦ１への通信インタフェイス２６と、副親機Ｕ２への室内機接続インタフェイス２７と、ＲＯＭなどのプログラム記憶用のメモリ２８と、ＲＡＭなどのデータ記憶用のメモリ２９と、該回路Ｃ１内の各部の動作を制御するＣＰＵ３０と、機能拡張のための基板が接続可能な拡張インタフェイス３１と、該回路Ｃ１内の各部およびユーザインタフェイスＩＦ１ならびに子機Ｕ０へ電源供給を行う電源回路３２とを備えて構成される。
【００１７】
一方、ユーザインタフェイスＩＦ１は、マイクロホン４１と、受話回路４２と、スピーカ４３と、送話回路４４と、バックライトを含む液晶パネルから成る液晶モジュール４５と、その表示回路４６および駆動回路４７と、発光ダイオードなどから成る表示回路４８と、タッチパネルやスイッチなどから成る入力操作回路４９と、ディップスイッチなどから成り、アドレスやＩＤを設定するための設定用インタフェイス５０と、前記回路Ｃ１への通信インタフェイス５１と、該ユーザインタフェイスＩＦ１内の各部の動作を制御するＣＰＵ５３と、該ユーザインタフェイスＩＦ１内の各部へ電源供給を行う電源回路５４とを備えて構成される。
【００１８】
また、副親機Ｕ２の回路Ｃ２は、基本的には、前記親機Ｕ１の回路Ｃ１において、子機接続インタフェイス２１および拡張インタフェイス３１が設けられていない構成である。対応する部分には、同一の参照符号に添字ａを付して示す。すなわち、この回路Ｃ２は、音声復調変調回路２２ａと、映像復調回路２３ａと、音声処理回路２４ａと、映像処理回路２５ａと、通信インタフェイス２６ａと、室内機接続インタフェイス２７ａと、メモリ２８ａと、メモリ２９ａと、ＣＰＵ３０ａと、電源回路３２ａとを備えて構成される。
【００１９】
しかしながら、この副親機Ｕ２の回路Ｃ２では、子機Ｕ０が接続されない分、通話回線の切換え処理の負担が異なり、メモリ２８ａ，２９ａおよびＣＰＵ３０ａは、メモリ２８，２９およびＣＰＵ３０にそれぞれ比べて、容量や能力が小さいものであってもよく、同一部品を採用する方が低コストな場合は、そのようにされてもよい。また、電源回路３２ａも、該回路Ｃ２内の回路構成が小さく、また子機Ｕ０への給電が必要ない分、小型にされてもよく、同一部品を採用する方が低コストな場合は、そのようにされてもよい。
【００２０】
一方、ユーザインタフェイスＩＦ２は、ユーザインタフェイスＩＦ１と同一に構成され、対応する部分には、同一の参照符号に添字ａを付して示し、その説明を省略する。
【００２１】
上述のように構成されるインターホンシステムにおいて、子機Ｕ０側の呼出し釦１０が操作されたことを子機接続インタフェイス２１を介してＣＰＵ３０が検知すると、もしくは親機Ｕ１側の入力操作回路４９の通話釦が操作されたことをＣＰＵ５３から通信インタフェイス５１，２６を介してＣＰＵ３０が検知すると、子機接続インタフェイス２１、音声復調変調回路２２、音声処理回路２４、通信インタフェイス２６，５１、ＣＰＵ５３、受話回路４２および送話回路４４を介して、子機Ｕ０側のマイクロホン１２およびスピーカ１３ならびに親機Ｕ１側のマイクロホン４１およびスピーカ４３を使用して通話が可能になるとともに、子機接続インタフェイス２１、映像復調回路２３、映像処理回路２５、通信インタフェイス２６，５１、ＣＰＵ５３、表示回路４６および駆動回路４７を介して、カメラ１１による撮像画像がＬＣＤモジュール４５に表示される。また、親機Ｕ１側で、入力操作回路４９のモニタ釦が操作されても、前記カメラ１１による撮像画像がＬＣＤモジュール４５に表示され、居住者が不審な物音に気付くなどして、密かに外の様子を監視することもできるようになっている。
【００２２】
また、副親機Ｕ２〜Ｕ４側の入力操作回路４９ａで、子機Ｕ０側の呼出しに通話釦で応答したり、モニタ釦が操作されると、親機Ｕ１側の子機接続インタフェイス２１、音声復調変調回路２２、映像復調回路２３、室内機接続インタフェイス２７を中継して、該副親機Ｕ２〜Ｕ４側の室内機接続インタフェイス２７ａ、音声復調変調回路２２ａ、音声処理回路２４ａ、通信インタフェイス２６ａ，５１ａ、ＣＰＵ５３ａ、受話回路４２ａおよび送話回路４４ａをさらに介して、マイクロホン４１ａおよびスピーカ４３ａを使用して通話が可能になるとともに、室内機接続インタフェイス２７ａ、映像復調回路２３ａ、映像処理回路２５ａ、通信インタフェイス２６ａ，５１ａ、ＣＰＵ５３ａ、表示回路４６ａおよび駆動回路４７ａをさらに介して、カメラ１１による撮像画像がＬＣＤモジュール４５ａに表示される。
【００２３】
さらにまた、親機Ｕ１または副親機Ｕ２〜Ｕ４側で、入力操作回路４９，４９ａの通話釦が操作されると、マイクロホン４１，４１ａおよびスピーカ４３，４３ａを使用して、親機Ｕ１と副親機Ｕ２〜Ｕ４との間の内線通話が可能になる。
【００２４】
以上のように、本発明に係るインターホンシステムでは、屋内に設置される親機Ｕ１および副親機Ｕ２〜Ｕ４を構成する回路を、ユーザインタフェイスＩＦ１〜ＩＦ４と、それ以外の残余の回路Ｃ１〜Ｃ４とに分離し、前記ユーザインタフェイスＩＦ１〜ＩＦ４を部屋Ｍ１〜Ｍ４内に露出して設置し、前記回路Ｃ１〜Ｃ４を、壁裏、天井裏または床下の邪魔にならない空間１４内に設置し、それらの間を壁面１５に形成した小径の孔Ｈ１〜Ｈ４を挿通するケーブルＶ１〜Ｖ４で接続して所期の機能を実現する。
【００２５】
したがって、回路Ｃ１〜Ｃ４には、筐体内の空きスペース、放熱性、回路間の干渉などをむやみに気にすることなく、適切な筐体（目に付かない場所に設置されるので、意匠面や質感などを考慮する必要がなく、汎用の大き目の筐体）を用いて、拡張インタフェイス３１から、必要な機能を適宜追加・更新することができ、拡張性に富んだインターホン装置を実現することができる。
【００２６】
また、ユーザインタフェイスＩＦ１〜ＩＦ４は、従来の総ての回路を一体にした室内露出タイプのインターホン装置と比べて、大幅に小型・薄型化することができ、デザイン性の高い商品を実現することができる。さらにまた、ユーザインタフェイスＩＦ１〜ＩＦ４には、親機Ｕ１と副親機Ｕ２〜Ｕ４との区別がなく、同じ部品が搭載されることになり、それらを共用化することができるとともに、音響設計、構造設計、回路配置などの負担も小さくなり、低コスト化を図ることができる。また、親機Ｕ１と副親機Ｕ２〜Ｕ４とで操作が統一され、分かり易いユーザインタフェイスを実現することもできる。
【００２７】
上述の説明では、ユーザインタフェイスＩＦ１〜ＩＦ４にＣＰＵ５３，５３ａを設け、映像信号をこれらのＣＰＵ５３，５３ａを介して（デコードして）表示回路４６，４６ａおよび駆動回路４７，４７ａに与えている。また、入力操作回路４９，４９ａや設定用インタフェイス５０，５０ａからの信号は、音声信号とともに、これらのＣＰＵ５３，５３ａにおいてパケットデータに加工され、前記ＣＰＵ３０，３０ａとの間でシリアル通信される。したがって、前記ケーブルＶ１〜Ｖ４は、映像信号線と、電源供給可能なパケットデータ線と、ＧＮＤ線との前記３芯である。しかしながら、ＣＰＵ３０，３０ａ側から、それらの表示回路４６，４６ａおよび駆動回路４７，４７ａにそれぞれ適したデータ信号および走査信号を作成し、通信インタフェイス２６，５１；２６ａ，５１ａでそれらの信号を伝送可能であり、かつ入力操作回路４９，４９ａもスイッチの接点信号や電圧レベル信号を送信するだけの簡単な構成であれば、ＣＰＵ５３，５３ａは省略されてもよい。
【００２８】
本発明に係るインターホン装置では、ユーザインタフェイスＩＦ１〜ＩＦ４および残余の回路Ｃ１〜Ｃ４は、上述の図２で示す構成に限らず、たとえばカメラを設ける等、機能に合わせて他の構成が追加されたり、或いは図２の構成から、表示回路４８，４８ａを省略する等、一部が省略されてもよい。また、ユーザインタフェイスＩＦ１〜ＩＦ４には、基本的にユーザ（ヒューマン）とのインタフェイスが設けられていればよく、部屋Ｍ１〜Ｍ４内に露出して設置する必要があり、該ユーザインタフェイスＩＦ１〜ＩＦ４の形状や大きさなどに大きな影響を与えず、かつ親機Ｕ１用と副親機Ｕ２〜Ｕ４用とで共用できなくなるような要素でなければ、ユーザインタフェイス以外の他の要素が設けられていてもよい。
【００２９】
さらにまた、上記の親機Ｕ１および副親機Ｕ２〜Ｕ４の総てをユーザインタフェイスＩＦ１〜ＩＦ４と残余の回路Ｃ１〜Ｃ４とに分離するのではなく、信号線Ｌ１〜Ｌ３を流れる信号は従来と同一であるので、更新や増設された一部の装置だけがそのように構成されてもよい。
【図面の簡単な説明】
【００３０】
【図１】本発明の実施の一形態に係るインターホンシステムの概略構成を示す図である。
【図２】図１におけるインターホンシステムの親機および副親機の具体的構成を示すブロック図である。
【図３】従来技術のインターホンシステムの外観形状を示す図である。
【図４】従来技術のインターホンシステムの内部回路構成を示す図である。
【符号の説明】
【００３１】
１０    呼出し釦
１１    カメラ
１２，４１，４１ａ    マイクロホン
１３，４３，４３ａ    スピーカ
１４    空間
１５    壁面
２１    子機接続インタフェイス
２２，２２ａ    音声復調変調回路
２３，２３ａ    映像復調回路
２４，２４ａ    音声処理回路
２５，２５ａ    映像処理回路
２６，２６ａ    通信インタフェイス
２７，２７ａ    室内機接続インタフェイス
２８，２８ａ，２９，２９ａ    メモリ
３０，３０ａ，５３，５３ａ    ＣＰＵ
３１    拡張インタフェイス
３２，３２ａ，５４，５４ａ    電源回路
４２，４２ａ    受話回路
４４，４４ａ    送話回路
４５，４５ａ    液晶モジュール
４６，４６ａ    表示回路
４７，４７ａ    駆動回路
４８，４８ａ    表示回路
４９，４９ａ    入力操作回路
５０，５０ａ    設定用インタフェイス
５１，５１ａ    通信インタフェイス
Ｃ１〜Ｃ４    残余の回路
Ｈ１〜Ｈ４    孔
ＩＦ１〜ＩＦ４    ユーザインタフェイス
Ｌ０〜Ｌ３信号線
Ｍ１〜Ｍ４    部屋
Ｕ０    子機
Ｕ１    親機
Ｕ２〜Ｕ４    副親機
Ｖ１〜Ｖ４    ケーブル
【図１】
2006041855.tif 000003
【図２】
2006041855.tif 000004
【図３】
2006041855.tif 000005
【図４】
2006041855.tif 000006